(57)【特許請求の範囲】
【請求項１】
上側面に少なくともシーツが掛けられる本体部と、この本体部の周囲に嵌合して上記シーツの周囲を押さえる枠体部とを備えたペット用トレーにおいて、
上記枠体部の対向する両側に嵌合部がそれぞれ設けられると共に、上記本体部の対向する両側に上記嵌合部と嵌合する被嵌合部がそれぞれ設けられ、上記枠体部が、上記嵌合部を設けた両側が上記本体部から離れる方向に反らせて成形され、
上記嵌合部が、上記枠体部の縦壁部に設けられた嵌合穴又は嵌合突起により構成されると共に、上記被嵌合部が、上記本体部の縦壁部のうち上記嵌合部に対向する位置に設けられた嵌合突起又は嵌合穴により構成され、外側に位置する上記嵌合部又は被嵌合部の縦壁部の内側面であって、上記嵌合部又は被嵌合部を挟む両側に弾性リブを設けたことを特徴とするペット用トレー。
【請求項２】
請求項１に記載のペット用トレーにおいて、
前記弾性リブの一端部が、なだらかな円弧を描きながら、上記縦壁部の一端部に連なる水平壁部に徐々に沿って一体的に設けられたことを特徴とするペット用トレー。
【請求項３】
請求項１又は２に記載のペット用トレーにおいて、上記枠体部の内側縁部に押え板部が設けられると共に、この押え板部の下側面に固定用突起が設けられたことを特徴とするペット用トレー。
【請求項４】
請求項１乃至３のいずれか１項に記載のペット用トレーにおいて、上記枠体部の内側縁部のうち上記固定用突起の外側に設けられた固定用凸条又は凸条嵌合溝と、上記本体部側に設けられ上記固定用凸条又は凸条嵌合溝と嵌合する凸条嵌合溝又は固定用凸条とを備えたことを特徴とするペット用トレー。
【請求項５】
請求項１乃至４のいずれか１項に記載のペット用トレーにおいて、上記本体部にマット収納部が設けられ、このマット収納部にマットが収納されると共にその上側をシーツで覆われ、上記固定用突起が上記マットの周縁部に位置し、上記固定用凸条及び凸条嵌合溝が上記シーツの周縁部に位置することを特徴とするペット用トレー。
【発明の詳細な説明】
【０００１】
【発明の属する技術分野】
本発明は、マットやシーツを載置して使用するペット用トレーに関し、特にペット用のトイレとして使用して好適なペット用トレーに関する。
【０００２】
【従来の技術】
シーツが掛けられたペット用トレーは一般に知られている。このようなペット用トレーは通常、シーツが掛けられる本体部と、この本体部の周囲に嵌合して上記シーツの周囲を押さえる枠体部とから構成されている。
【０００３】
ペットは、本体部の上に掛けられたシーツに上に乗って、寝そべったり、トイレをしたりする。
【０００４】
【発明が解決しようとする課題】
ところが、上記構成のペット用トレーでは、その枠体部と本体部は、通常、対向する２カ所程度で互いに固定されている。
【０００５】
このため、２つの固定部分の間では、枠体部が本体部から浮いてシーツの固定が緩くなることがある。そして、この状態で、犬等のペットがトレーの上で動き回ると、シーツがずれてしまうという問題点がある。
【０００６】
本発明は以上述べたような不具合を解消するためになされたもので、シーツ等を容易に取り付けられ、かつずれることなく確実に支持することができるペット用トレーを提供することを目的とする。
【０００７】
【課題を解決するための手段】
前述した課題を解決するために第１の発明に係るペット用トレーは、上側面に少なくともシーツが掛けられる本体部と、この本体部の周囲に嵌合して上記シーツの周囲を押さえる枠体部とを備えたペット用トレーにおいて、上記枠体部の対向する両側に嵌合部がそれぞれ設けられると共に、上記本体部の対向する両側に上記嵌合部と嵌合する被嵌合部がそれぞれ設けられ、上記枠体部が、上記嵌合部を設けた両側が上記本体部から離れる方向に反らせて成形され、上記嵌合部が、上記枠体部の縦壁部に設けられた嵌合穴又は嵌合突起により構成されると共に、上記被嵌合部が、上記本体部の縦壁部のうち上記嵌合部に対向する位置に設けられた嵌合突起又は嵌合穴により構成され、外側に位置する上記嵌合部又は被嵌合部の縦壁部の内側面であって、上記嵌合部又は被嵌合部を挟む両側に弾性リブを設けたことを特徴とする。
【０００８】
上記構成により、枠体部を本体部に取り付けて、まず一方の嵌合部を本体部の被嵌合部に嵌合させる。次いで、反った枠体部をまっすぐに延ばすように他方の嵌合部を押し下げて、本体部の他方の被嵌合部に嵌合させる。これにより、枠体部の反りが延ばされた反動によって嵌合部と被嵌合部との嵌合状態が確実に維持されると共に、各嵌合部の近傍だけでなく、各嵌合部の中間部においても、枠体部が一定以上の圧力で本体部と当接する。これにより、枠体部が本体部から浮いた部分がなくなり、シーツはその全周を、枠体部と本体部とで確実に挟んで支持される。この結果、シーツの上でペットが動き回っても、シーツがずれることがなくなる。また、枠体部を本体部に取り付けて上側から押すと、枠体部の縦壁部に設けられた嵌合穴又は嵌合突起が、本体部の縦壁部に設けられた嵌合突起又は嵌合穴に嵌合する。このとき、外側に位置する縦壁部の内側面の弾性リブが縦壁部を弾性的に支持する。
【０００９】
第２の発明に係るペット用トレーは、第１の発明に係るペット用トレーにおいて、前記弾性リブの一端部が、なだらかな円弧を描きながら、上記縦壁部の一端部に連なる水平壁部に徐々に沿って一体的に設けられたことを特徴とする。
【００１０】
上記構成により、弾性リブが、その一端部がなだらかな円弧を描きながら水平壁部に徐々に沿って一体的に設けられているので、弾性リブに応力が集中することなく水平壁部に支持されて、縦壁部を弾性的に支持する。これにより、嵌合穴と嵌合突起との嵌合状態が弾性的に確実に支持されて、抜けることがなくなる。
【００１１】
第３の発明に係るペット用トレーは、第１又は第２の発明に係るペット用トレーにおいて、上記枠体部の内側縁部に押え板部が設けられると共に、この押え板部の下側面に固定用突起が設けられたことを特徴とする。
【００１２】
上記構成により、枠体部が本体部に取り付けられて一定以上の圧力で当接することにより、固定用突起がシートに押し当てられて確実に固定支持される。
【００１３】
第４の発明に係るペット用トレーは、第１乃至第３のいずれかの発明に係るペット用トレーにおいて、上記枠体部の内側縁部のうち上記固定用突起の外側に設けられた固定用凸条又は凸条嵌合溝と、上記本体部側に設けられ上記固定用凸条又は凸条嵌合溝と嵌合する凸条嵌合溝又は固定用凸条とを備えたことを特徴とする。
【００１４】
上記構成により、枠体部を本体部に取り付けると、固定用凸条と凸条嵌合溝とが互いに嵌合する。これにより、互いに嵌合した固定用凸条と凸条嵌合溝とで、シートの周囲が挟み込まれて支持され、固定される。
【００１５】
第５の発明に係るペット用トレーは、第１乃至４のいずれかの発明に係るペット用トレーにおいて、上記本体部にマット収納部が設けられ、このマット収納部にマットが収納されると共にその上側をシーツで覆われ、上記固定用突起が上記マットの周縁部に位置し、上記固定用凸条及び凸条嵌合溝が上記シーツの周縁部に位置することを特徴とする。
【００１６】
上記構成により、固定用突起でマットの周縁部が固定され、固定用凸条及び凸条嵌合溝でシーツの周縁部が固定される。
【００１７】
【発明の実施の形態】
以下、本発明に係るペット用トレーについて図面を参照しながら説明する。なお、ここでは、ペット用トレーをペット用トイレとして使用する場合について説明する。図１は本実施形態に係るペット用トイレを示す分解斜視図、図２は本実施形態に係るペット用トイレを示す斜視図、図３は本実施形態に係るペット用トイレを示す正面図、図４は本実施形態に係るペット用トイレを示す側面図、図５は本実施形態に係るペット用トイレを示す平面図、図６は本実施形態に係るペット用トイレの本体部を示す正面図、図７は本実施形態に係るペット用トイレの本体部を示す平面図、図８は本実施形態に係るペット用トイレの本体部を示す側面図、図９は本実施形態に係るペット用トイレの本体部を示す裏面図、図１０は本実施形態に係るペット用トイレの本体部の被嵌合部を本体部の外側から示す斜視図、図１１は本実施形態に係るペット用トイレの枠体部を示す正面図、図１２は本実施形態に係るペット用トイレの枠体部を示す平面図、図１３は本実施形態に係るペット用トイレの枠体部を示す側面図、図１４は本実施形態に係るペット用トイレの枠体部を示す裏面図、図１５は本実施形態に係るペット用トイレの本体部に枠体部を載置した状態を示す正面図、図１６は本実施形態に係るペット用トイレの枠体部の嵌合部及び弾性リブの部分を裏返した枠体部の内側から示す斜視図、図１７は本実施形態に係るペット用トイレの本体部に枠体部を嵌合した状態を示す要部断面図、図１８は本実施形態に係るペット用トイレの固定用突起を示す要部拡大図、図１９は本実施形態に係るペット用トイレの組み立て状態を示す斜視図である。
【００１８】
［第１の実施形態］
本実施形態に係るペット用トイレ１は、図１〜５，１７，１９に示すように、マット２と、シーツ３と、本体部４と、枠体部５とから構成されている。
【００１９】
マット２は、吸水及び消臭の機能を備え、ペットの尿を吸収し、臭いの発生を押さえるための部材である。マット２は、四角形の平板状に形成されている。本実施例では、本体部４に２枚並べて取り付けられる。
【００２０】
シーツ３は、マット２を覆うカバーである。シーツ３には、多数の逆流防止穴が設けられている。この逆流防止穴は水分の逆流を抑えるようになっている。即ち、シーツ３の上にペットが排尿すると、尿は逆流防止穴を通過してマット２に吸収されて保持され、ペットが踏み付けても逆流防止穴から逆流しないようになっている。シーツ３は、後述する本体部４の凸条嵌合溝１４を覆う程度の大きさに設定されている。
【００２１】
本体部４は、マット２及びシーツ３を収納して固定支持するための部材である。本体部４は、図１〜９に示すように、浅い皿状に形成されている。具体的には、底面板部７と、嵌合壁部８と、堤部９とから概略構成されている。
【００２２】
底面板部７は、本体部４の底面を構成する部材である。この底面板部７には、後述するマット収納部１３及び凸条嵌合溝１４が設けられている。
【００２３】
嵌合壁部８は、本体部４の左右端部の壁を構成する部材である。嵌合壁部８は、円弧状に隆起させて形成され、後述する枠体部５の円弧状袋部２１に嵌合されて、本体部４と枠体部５とが互いに固定されるようになっている。この嵌合壁部８の内側の壁面は、後述する凸条嵌合溝１４の一部を構成している。
【００２４】
嵌合壁部８の中央部には、後述する被嵌合部１５が設けられている。この被嵌合部１５の両側には、後述する弾性リブ２５を収納して案内するリブ案内溝１１がそれぞれ設けられている。
【００２５】
堤部９は、本体部４の前後端部の低い壁を構成する部材である。この堤部９は、後述する凸条嵌合溝１４の一部を構成している。
【００２６】
上記本体部４には、マット収納部１３と、凸条嵌合溝１４と、被嵌合部１５とが設けられている。
【００２７】
マット収納部１３は、マット２を収納する凹部である。このマット収納部１３は、後述する凸条嵌合溝１４の内側壁１７によって構成されている。マット収納部１３は、マット２を２枚並べた大きさで、マット２の厚さと同じ深さに設定されている。
【００２８】
凸条嵌合溝１４は、シーツ３の周縁部を固定するための部位である。凸条嵌合溝１４は、マット収納部１３の外周を囲繞するように形成されている。具体的には、図１７に示すように、内側壁１７と、外側壁１８と、底面壁１９とから構成されている。
【００２９】
内側壁１７は、凸条嵌合溝１４の内側を形成するための壁面である。内側壁１７はマット収納部１３の外周に沿って四角形状に配設されている。これにより、内側壁１７は、マット収納部１３と凸条嵌合溝１４とを区画している。
【００３０】
外側壁１８は、底面壁１９を立ち上げて形成されている。内側壁１７と外側壁１８との間隔は、枠体部５の固定用凸条３３が余裕をもって挿入できる程度に設定されている。
【００３１】
底面壁１９は、マット収納部１３の底面板部７を延長して形成されている。
【００３２】
被嵌合部１５は、後述する枠体部５の嵌合部２４と互いに嵌合することで、枠体部５を本体部４に固定するための部材である。被嵌合部１５は、図１，８，１０に示すように、嵌合壁部８の外側に設けられている。被嵌合部１５は、楕円形状に隆起させて形成された嵌合突起によって構成されている。
【００３３】
枠体部５は、マット２及びシーツ３の周囲を押さえて固定するための部材である。この枠体部５は、図１〜５，１１〜１４に示すように、四角形の枠状に形成され、本体部４の周囲に嵌合して取り付けられる。枠体部５は、左右両側に設けられた円弧状袋部２１と、前後両側に設けられた溝板部２２とから構成されている。
【００３４】
円弧状袋部２１は、本体部４の嵌合壁部８に嵌合する部分である。円弧状袋部２１は、下方に開口した円弧状の袋体として構成され、本体部４の嵌合壁部８を包み込むようにしてその上側から嵌合されるようになっている。各円弧状袋部２１の外側の縦壁部２１Ａには、嵌合部２４がそれぞれ設けられている。この嵌合部２４は、楕円形状の嵌合穴として構成されている。
【００３５】
縦壁部２１Ａの内側面うち、嵌合部２４を挟む両側には、図１６に示すように、弾性リブ２５が設けられている。この弾性リブ２５は、嵌合部２４を弾性的に支持するための部材である。この弾性リブ２５によって、嵌合部２４が本体部４の被嵌合部１５に確実に嵌合するようになっている。即ち、嵌合部２４が本体部４の被嵌合部１５にその外側から嵌合した状態が、弾性的にかつ確実に支持され、ペットが動き回って衝撃を受けても外れないようになっている。弾性リブ２５の一端部（図１６中の下端部）は、なだらかな円弧を描きながら水平壁部２１Ｂに徐々に沿って一体的に設けられている。これにより、弾性リブ２５は、応力が集中することなく水平壁部２１Ｂに弾性的に支持され、縦壁部２１Ａを弾性的に支持している。
【００３６】
縦壁部２１Ａのうち、弾性リブ２５の下側（図１６中の上側）には案内部２６が形成されている。この案内部２６は、円弧状袋部２１を本体部４の嵌合壁部８に嵌合させるときに、縦壁部２１Ａを本体部４の被嵌合部１５に乗り上げさせるための案内部分である。案内部２６は、外側へ球面状に膨らませて形成されている。
【００３７】
溝板部２２は、図１，１１，１５に示すように、前後両側に設けられて各円弧状袋部２１と一体的に連結され、枠体部５を構成している。溝板部２２は、下方に開口した溝状（雨どい状）に形成され、本体部４の堤部９に嵌合するようになっている。溝板部２２は上側に反らせて形成されている。即ち、枠体部５の両側が本体部４から離れる方向に反らせて成形されている（図１５参照）。これは、枠体部５がその全周で本体部４に、一定以上の圧力で当接して、マット２及びシーツ３を確実に固定支持するためである。即ち、枠体部５の両側の嵌合部２４が本体部４の両側の被嵌合部１５にそれぞれ嵌合して溝板部２２の反りが延ばされることで、その反力によって、枠体部５自身を本体部４側に固定すると共に、枠体部５の全周（円弧状袋部２１と溝板部２２の部分全体）がマット２及びシーツ３に一定以上の圧力で押し付けられるようになっている。
【００３８】
枠体部５の内側縁部には押え板部２９が設けられている。この押え板部２９は、図１，１２，１４，１７に示すように、枠体部５の内側へ延出して形成され、本体部４のマット収納部１３に収納された２枚のマット２の周囲を僅かに覆う程度の寸法に設定されている。
【００３９】
押え板部２９の下側面には固定用突起３０が設けられている。この固定用突起３０は、押え板部２９の下側面の全周に多数設けられ、マット２及びシーツ３を多数の点で支持するようになっている。固定用突起３０は、図１８に示すように、中央に切り欠き３１を有している。平面形状は、長方形状（図２０参照）になっている。
【００４０】
固定用突起３０の外側には固定用凸条３３が設けられている。この固定用凸条３３は、枠体部５の内側壁を下方へ延ばして形成され、枠体部５の全周に亘って四角形状に設けられている。固定用凸条３３は、枠体部５が本体部４に取り付けられた状態で、図１７に示すように、本体部４の凸条嵌合溝１４に嵌合するようになっている。この固定用凸条３３と凸条嵌合溝１４との嵌合により、シーツ３の周縁を挟み込んで固定支持するようになっている。
【００４１】
［動作］
以上のように構成されたペット用トイレ１は、次のように使用される。図１９に基づいて説明する。
【００４２】
マット２及びシーツ３の取付作業は次のようにする。
【００４３】
まず、図１９（Ａ）のように、本体部４のマット収納部１３に２枚のマット２を収納する。次いで、図１９（Ｂ）のように、マット２の上からシーツ３を被せる。シーツ３の周囲が本体部４の凸条嵌合溝１４にかかるように被せる。次いで、図１９（Ｃ）のように、枠体部５を本体部４に取り付ける。
【００４４】
このとき、枠体部５の円弧状袋部２１が本体部４の嵌合壁部８にはまり込み、溝板部２２が堤部９にはまり込む。
【００４５】
この状態で、枠体部５の一方の円弧状袋部２１を押し下げて、嵌合部２４を被嵌合部１５にはめ込む。次いで、他方の円弧状袋部２１を押し下げて、反った溝板部２２を延ばしながら、嵌合部２４を被嵌合部１５にはめ込む。これで、マット２及びシーツ３の取付作業は終了する。
【００４６】
この状態で、枠体部５の固定用突起３０はマット２の周縁をシーツ３の上から押圧する。さらに、固定用凸条３３は本体部４の凸条嵌合溝１４に嵌合することで、シーツ３の周縁を挟み込んで固定支持する。
【００４７】
ペットが排尿等をしたときには、枠体部５の案内部２６を外側へ引いて嵌合部２４を被嵌合部１５から外し、枠体部５を本体部４から取り外す。これにより、マット２及びシーツ３の固定は解除され、これらを取り除く。次いで、新しいのマット２及びシーツ３を上記同様にして取り付ける。
【００４８】
［効果］
以上により、マット２及びシーツ３をペット用トイレ１に対して、容易に取り付け及び取り外しすることができる。
【００４９】
また、枠体部５を反らせたので、その反りが延ばされる反動を利用して枠体部５の全周を一定以上の圧力で本体部４に当接させることができ、枠体部５が本体部４から浮いた部分がなくなる。この結果、マット２及びシーツ３がその全周を確実に支持され、シーツ３の上でペットが動き回っても、シーツ３等がずれることがなくなる。
【００５０】
枠体部５の円弧状袋部２１の縦壁部２１Ａの内側面に弾性リブ２５を設けたので、嵌合部２４の被嵌合部１５への嵌合状態が弾性的に確実に支持され、抜けることがなくなる。
【００５１】
さらに、固定用突起３０によってマット２がその周縁部で確実に固定され、固定用凸条３３及び凸条嵌合溝１４でシーツ３の周縁部が確実に固定され、シーツ３の上でペットが動き回っても、シーツ３等がずれることがなくなる。
【００５２】
［第２の実施形態］
次に、第２の実施形態について説明する。本実施形態のペット用トイレの全体構成は、上記第１の実施形態の全体構成とほぼ同様であるので、ここでは、同一部分には同一符号を付してその説明を省略し、相違する部分を中心に説明する。図２０は第２実施形態に係るペット用トイレの枠体部を示す要部斜視図、図２１は第２実施形態に係るペット用トイレの本体部を示す要部斜視図、図２２は固定用突起を示す要部拡大図、図２３は固定用突起の他の例を示す要部拡大図である。
【００５３】
本実施形態における特徴部分は固定用突起４１である。図２０に示すように、押え板部２９には多数の固定用突起４１が設けられている。この固定用突起４１は、図２２に示すように、台形状に形成されている。これにより、マット２及びシーツ３への当接面積を狭くして、マット２等へある程度食い込んで支持するようになっている。
【００５４】
これにより、より確実にマット２等を固定支持することができる。
【００５５】
また、図２３に示すように、固定用突起４１を三角形状（円錐形状、四角錐形状等）に形成してもよい。この場合は、マット２等に完全に食い込んで、さらに確実に固定支持することができる。
【００５６】
［変形例］
（１）  上記実施形態では、マット２とシーツ３とを使用したバイを例に説明したが、シーツ３だけの場合もある。この場合は、シーツ３には、上述した機能の他に、吸水及び消臭の機能を持たせる。この場合も、上記同様の作用、効果を奏することができる。
【００５７】
（２）  上記実施形態では、ペット用トレーをペット用のトイレとして使用したが、ペット用ベッド等の他の用途に使用する場合も、上記同様の作用、効果を奏することができる。
【００５８】
（３）  上記実施形態では、嵌合部２４を嵌合穴により構成し、被嵌合部１５を嵌合突起により構成したが、これらと逆に、嵌合部２４を嵌合突起により構成し、被嵌合部１５を嵌合穴により構成してもよいことは言うまでもない。この場合も、上記同様の作用、効果を奏することができる。
【００５９】
（４）  上記実施形態では、枠体部５の嵌合部２４を挟む両側に弾性リブ２５を設けたが、本体部４の被嵌合部１５を挟む両側に設けてもよい。この場合も、上記同様の作用、効果を奏することができる。
【００６０】
（５）  上記実施形態では、枠体部５側に固定用凸条３３を設け、本体部４側に凸条嵌合溝１４を設けたが、これと逆に、枠体部５側に凸条嵌合溝を設け、本体部４側に固定用凸条を設けてもよい。この場合も、上記同様の作用、効果を奏することができる。
【００６１】
【発明の効果】
以上、詳細に説明したように本発明によれば、次のような効果を奏することができる。
【００６２】
（１）  マット等をペット用トレーに対して、容易に取り付け及び取り外しすることができる。
【００６３】
（２）  枠体部を反らせたので、マット等がその全周が確実に支持され、シーツの上でペットが動き回っても、シーツ等がずれることがなくなる。
【００６４】
（３）  枠体部に弾性リブを設けたので、嵌合部の被嵌合部への嵌合状態が弾性的に確実に支持され、抜けることがなくなる。
【００６５】
（４）  固定用突起を設けたので、固定用突起がシート等に押し当てられることでシーツ等を確実に固定支持することができる。
【００６６】
（５）  固定用凸条と凸条嵌合溝とを設けたので、これらが互いに嵌合することで、シートの周囲を挟み込んで確実に支持することができる。
【００６７】
（６）  固定用突起によってマットの周縁部を確実に固定し、固定用凸条及び凸条嵌合溝でシーツの周縁部を確実に固定することができる。
【図面の簡単な説明】
【図１】本発明に係るペット用トイレを示す分解斜視図である。
【図２】本発明に係るペット用トイレを示す斜視図である。
【図３】本発明に係るペット用トイレを示す正面図である。
【図４】本発明に係るペット用トイレを示す側面図である。
【図５】本発明に係るペット用トイレを示す平面図である。
【図６】本発明に係るペット用トイレの本体部を示す正面図である。
【図７】本発明に係るペット用トイレの本体部を示す平面図である。
【図８】本発明に係るペット用トイレの本体部を示す側面図である。
【図９】本発明に係るペット用トイレの本体部を示す裏面図である。
【図１０】本発明に係るペット用トイレの本体部の被嵌合部を本体部の外側から示す斜視図である。
【図１１】本発明に係るペット用トイレの枠体部を示す正面図である。
【図１２】本発明に係るペット用トイレの枠体部を示す平面図である。
【図１３】本発明に係るペット用トイレの枠体部を示す側面図である。
【図１４】本発明に係るペット用トイレの枠体部を示す裏面図である。
【図１５】本発明に係るペット用トイレの本体部に枠体部を載置した状態を示す正面図である。
【図１６】本発明に係るペット用トイレの枠体部の嵌合部及び弾性リブの部分を裏返した枠体部の内側から示す斜視図である。
【図１７】本発明に係るペット用トイレの本体部に枠体部を嵌合した状態を示す要部断面図である。
【図１８】本発明に係るペット用トイレの固定用突起を示す要部拡大図である。
【図１９】本発明に係るペット用トイレの組み立て状態を示す斜視図である。
【図２０】本発明の第２実施形態に係るペット用トイレの枠体部を示す要部斜視図である。
【図２１】本発明の第２実施形態に係るペット用トイレの本体部を示す要部斜視図である。
【図２２】本発明の第２実施形態に係る固定用突起を示す要部拡大図である。
【図２３】本発明の第２実施形態に係る固定用突起の他の例を示す要部拡大図である。
【符号の説明】
１：ペット用トイレ、２：マット、３：シーツ、４：本体部、５：枠体部、７：底面板部、８：嵌合壁部、９：堤部、１１：リブ案内溝、１２：外側壁、１３：マット収納部、１４：凸条嵌合溝、１５：被嵌合部、１７：内側壁、１８：外側壁、１９：底面壁、２１：円弧状袋部、２２：溝板部、２４：嵌合部、２５：弾性リブ、２６：案内部、２９：押え板部、３０：固定用突起、３３：固定用凸条。
【図１】
0004079648.tif 000002
【図２】
0004079648.tif 000003
【図３】
0004079648.tif 000004
【図４】
0004079648.tif 000005
【図５】
0004079648.tif 000006
【図６】
0004079648.tif 000007
【図７】
0004079648.tif 000008
【図８】
0004079648.tif 000009
【図９】
0004079648.tif 000010
【図１０】
0004079648.tif 000011
【図１１】
0004079648.tif 000012
【図１２】
0004079648.tif 000013
【図１３】
0004079648.tif 000014
【図１４】
0004079648.tif 000015
【図１５】
0004079648.tif 000016
【図１６】
0004079648.tif 000017
【図１７】
0004079648.tif 000018
【図１８】
0004079648.tif 000019
【図１９】
0004079648.tif 000020
【図２０】
0004079648.tif 000021
【図２１】
0004079648.tif 000022
【図２２】
0004079648.tif 000023
【図２３】
0004079648.tif 000024